(57)【要約】【課題】  本実施形態は、ユーザが映像情報を見て文字情報をチェックするという手間を必要とせずに、映像情報中の所望の文字情報を抽出できる映像表示装置を提供することを目的とする。【解決手段】  本実施形態の映像表示装置は、所定時間の映像情報を記憶する映像情報記憶手段と、所定時間の映像情報から抽出した文字情報を、文字情報の映像情報における位置を特定する座標情報とともに記憶する文字情報記憶手段と、文字情報のうち表示させたい文字情報の範囲を指定する範囲指定手段と、範囲指定手段により指定された範囲内の文字情報を、文字情報記憶手段から抽出する文字情報抽出手段と、文字情報抽出手段により抽出された指定された範囲内の文字情報を表示する表示手段段とを備えたことを特徴とする。【選択図】  図３
2014146956.tif 000002
【特許請求の範囲】
【請求項１】
所定時間の映像情報を記憶する映像情報記憶手段と、
前記所定時間の映像情報から抽出した文字情報を、前記文字情報の前記映像情報における位置を特定する座標情報とともに記憶する文字情報記憶手段と、
前記文字情報のうち表示させたい前記文字情報の範囲を指定する範囲指定手段と、
前記範囲指定手段により指定された範囲内の前記文字情報を、前記文字情報記憶手段から抽出する文字情報抽出手段と、
前記文字情報抽出手段により抽出された前記指定された範囲内の文字情報を表示する表示手段段と
を備えたことを特徴とする映像表示装置。
【請求項２】
前記文字情報抽出手段は、前記所定時間の映像情報の中から前記指定された範囲内の文字情報を全て抽出することを特徴とする請求項１記載の映像表示装置。
【請求項３】
前記範囲指定手段は、前記表示したい前記文字情報の範囲を、前記表示手段上の位置で指定することを特徴とする請求項１記載の映像表示装置。
【請求項４】
前記範囲指定手段で指定された範囲に複数の前記文字情報がある場合には、前記複数の文字情報を、前記表示手段上における画面上部から下部方向の順に表示させることを特徴とする請求項３記載の映像表示装置。
【発明の詳細な説明】
【技術分野】
【０００１】
本実施形態は、映像表示装置に関し、特に、過去に表示された映像内の文字のうち、ユーザが必要とする文字を抽出することができる映像表示装置に関する。
【背景技術】
【０００２】
従来、映像表示装置の映像を常時記録しておき、必要に応じて映像を表示し、「宛先」や「URL」などの文字情報の確認を可能とする装置が知られている。
【０００３】
また、映像中の文字が表示された画像のみを自動的に蓄積して表示する装置が知られている。
【先行技術文献】
【特許文献】
【０００４】
【特許文献１】特開2007-300246号公報
【特許文献２】特開平11-168691号公報
【発明の概要】
【発明が解決しようとする課題】
【０００５】
従来の装置は、文字情報を含む映像情報の1フレーム以上を記録し、後で映像情報を表示させて、ユーザは、該表示された映像情報をチェックすることで、映像情報に含まれる文字情報をチェックする装置が知られている。
【０００６】
しかし、該装置の場合、ユーザが映像情報に含まれる文字情報をチェックするという手間が必要となってしまう問題点があった。
【０００７】
本実施形態は、ユーザが映像情報を見て文字情報をチェックするという手間を必要とせずに、映像情報中の所望の文字情報を抽出できる映像表示装置を提供することを目的とする。
【課題を解決するための手段】
【０００８】
上記目的を達成するために、本実施形態の映像表示装置は、
所定時間の映像情報を記憶する映像情報記憶手段と、
前記所定時間の映像情報から抽出した文字情報を、前記文字情報の前記映像情報における位置を特定する座標情報とともに記憶する文字情報記憶手段と、
前記文字情報のうち表示させたい前記文字情報の範囲を指定する範囲指定手段と、
前記範囲指定手段により指定された範囲内の前記文字情報を、前記文字情報記憶手段から抽出する文字情報抽出手段と、
前記文字情報抽出手段により抽出された前記指定された範囲内の文字情報を表示する表示手段段と
を備えたことを特徴とする。
【０００９】
そして、本実施形態によれば、所定時間の映像情報に含まれる任意のタイミングの文字情報を、ユーザが容易に表示させることができる。
【００１０】
また、本実施形態によれば、前記文字情報抽出手段は、前記所定時間の映像情報の中から前記指定された範囲内の文字情報を全て抽出することを特徴とする。
【００１１】
そして、本実施形態によれば、所定時間の映像情報に含まれる文字情報から範囲内の文字情報が全て表示されるので、ユーザは過去の映像情報から所望の時刻の文字情報を容易に表示させることができる。
【００１２】
また、本実施形態によれば、前記範囲指定手段は、前記表示したい前記文字情報の範囲を、前記表示手段上の位置で指定することを特徴とする。
【００１３】
そして、本実施形態によれば、範囲指定手段で表示手段上の位置を指定するのみという容易な操作のみで範囲指定ができる。
【００１４】
また、本実施形態によれば、前記範囲指定手段で指定された範囲に複数の前記文字情報がある場合には、前記複数の文字情報を、前記表示手段上における画面上部から下部方向の順に表示させることを特徴とする。
【図面の簡単な説明】
【００１５】
【図１】一実施の形態にかかわる映像表示装置のブロック図。
【図２】同実施の形態にかかわる現在から20秒前までの画面例と、文字列の位置との関係を模式的に示した図。
【図３】同実施の形態にかかわる画面での文字の抽出範囲例を示した図その1。
【図４】同実施の形態にかかわる画面での文字の抽出範囲例を示した図その2。
【図５】同実施の形態にかかわる制御のフローチャート。
【図６】同実施の形態にかかわる画面での文字の候補例を示した図。
【発明を実施するための形態】
【００１６】
以下、図面を参照して本実施の形態を説明する。
【００１７】
図１は、本実施例の映像表示装置(例えば、TV)の構成を示すブロック図である。
【００１８】
本装置は、地デジ等の映像情報(本実施例では、放送波，放送波をデコードした映像信号含めて、映像情報と称する)をアンテナ100を経由してチューナ110で受信し、制御部120(デコード機能含む)を介して表示部130に表示される。これらの動作指示は、ユーザによるリモコン200による指示を、受光部210を介して制御部120に伝えることで実現できる。
【００１９】
映像情報は、表示部130に表示されるとともに、一時的に記憶する映像一時記憶部300に記憶される。映像一時記憶部300には、例えば、20秒間の映像情報を順次記憶し、古い映像信号から順次破棄する。文字記憶部310は、映像一時記憶部300に記憶されている映像信号から制御部120を介して抽出された文字情報を、該文字情報の表示部130での表示位置情報とともに記憶する。文字記憶部310に記憶する文字情報及び表示位置情報も古い順に破棄する。
【００２０】
ユーザは、リモコン200を操作し、表示部130の所定範囲を指定すると、指定された範囲に該当する文字記憶部310に記憶されている文字情報及び表示位置情報を表示部130に表示する(表示例は、図３(b))。なお、図３については、後述する。ユーザが指定した範囲の文字情報を、文字抽出部320が文字記憶部310から抽出する。
【００２１】
図２は、表示部130の画面の例と、文字情報の位置との関係を模式的に示した図である。
【００２２】
前提としては、図１の映像一時記憶部300に現時刻から-20秒(つまり、20秒間)までの映像情報が記憶されているとともに、映像情報に含まれる20秒間分の文字情報及び表示部130における座標情報が、該映像情報から抽出されて文字記憶部310に記憶されている。
【００２３】
具体的には、図２(a)は、図１のユーザが画面2000を見ていると、紙面左側から右側に時間が経過し、現在時刻から20秒前(0秒)では、映像情報2210(その中には、文字列1 2220を含む)，現在時刻から10秒前(10秒)では、映像情報2110(その中には、文字列2 2120を含む)，現在時刻から5秒前(15秒)では、映像情報2510(その中には、文字列3 2520を含む)，現在時刻(20秒)では、映像情報2010(その中には、文字列4 2020を含む)を示す。図２(b)は、各タイミングでのユーザが記憶している文字列の画面での大まかな位置を示す。
【００２４】
図３は、画面での文字の抽出範囲例を示した図で、例えば、図３(a)に示すように、ユーザが現在時刻の画面を見ている時に、大まかに10秒前の文字(例えば、店の電話番号)を知りたいと考え、大まかに画面の位置をリモコン200で範囲指定する(例えば、リモコン200で画面2000に円弧を描く)と、範囲指定3000がなされ、文字抽出部320によって、図３(b)に示すように、範囲指定3000に該当する文字列の候補が表示される。ここでは、画面右上を範囲指定したため、図２(a)のうち-10秒，-20秒，-5秒の時の文字列が候補として表示される。ユーザは、リモコン200を操作して、図３(b)から所望の文字列(今回は、文字列2 2120)を選択することにより、文字列2 2120(例えば、店の電話番号)を画面2000に表示させることができる。なお、これに限るものではなく、例えば、検索に用いたり、外部のスマートフォンに送信したりしてもよい。
【００２５】
図４は、画面での文字の抽出範囲例を示した他の図で、範囲指定3010は、図２，図３と同様に指定された範囲内に文字列が1つ(ここでは、文字例10 2810)だが、範囲指定3020では、複数の文字列(ここでは、文字列20，21，22 2820，文字列30，31，32 2830)が複数ある場合が異なっている。
【００２６】
図６は、画面での文字の候補例を示した図で、ユーザに示す範囲指定された中の文字の候補であるワード候補600として、複数の文字列(文字列20，21，22 2820，文字列30，31，32 2830)を示すもので、図６では、画面上部から順に候補を示す例である。
【００２７】
なお、ワード候補600の表示の仕方は、これに限るものではなく、例えば文字抽出部320で抽出された順でもよいし、画面2000の左側(右側)にあるものから順に表示してもよい。
【００２８】
図５は、本実施例の映像表示装置の制御フローチャートで、特に、制御部120の処理を示す。
【００２９】
チューナ120を介して受信した映像情報を、映像一時期億部300に記憶するとともに、該映像情報内の文字情報(例えば、図２(a)の文字列1 2020，文字列2 2120，文字列3 2520，文字列4 2010)を座標情報(例えば、文字列1 2220：X1，Y1，X2，Y2)とともに抽出し、文字記憶部310に記憶する(ステップ501)。ユーザからのリモコン200による範囲指定(例えば、図３(a)の範囲指定3000)があるか否かをチェックし(ステップ502)、範囲指定がない場合(ステップ502でNo)は、文字記憶部310に記憶している文字情報及び座標情報の内、所定時間(例えば、現在時刻から20秒前まで)より前のデータを破棄する(ステップ503)。
【００３０】
ステップ502でYesの場合(例えば、図３(a)の範囲指定3000の指示があった場合)、文字記憶部310から範囲指定3000内の座標内にある文字情報を抽出する(ステップ504)。なお、範囲指定3000の座標に幅を持たせて(例えば、+10cmの座標)抽出してもよい。
【００３１】
図２(a)の場合は、文字列1 2220，文字列2 2120，文字列3 2520，文字列4 2020のように一まとまりになっているので(ステップ505でYesの場合)、図３(b)のように文字列2 2120等ワード候補600を表示部130に表示させて処理を終了する。ステップ505でNoの場合(例えば、図４の文字列20〜22 2820，文字列30〜32 2830)、図６のワード候補600のように表示させて(ステップ506)、処理を終了する。
【００３２】
なお、範囲指定3000，3010，3020はリモコン200を用いるとしたが、これに限定されるものではなく、例えば表示部130にタッチパネルを備え、ユーザがタッチパネルで指示してもよい。
【符号の説明】
【００３３】
100  アンテナ
110  チューナ
120  制御部
130  表示部
200  リモコン
210  受光部
300  映像一時記憶部
310  文字記憶部
320  文字抽出部
600  ワード候補
2000  画面
2210，2110，2510，2010『以上、図２，３』，2910，2920，2930『以上、図４，６』  映像情報
2220  文字列1
2120  文字列2
2520  文字列3
2020  文字列4
2810  文字列10
2820  文字列20〜22
2830  文字列30〜32
3000，3010，3020  範囲指定
【図１】
2014146956.tif 000003
【図２】
2014146956.tif 000004
【図３】
2014146956.tif 000005
【図４】
2014146956.tif 000006
【図５】
2014146956.tif 000007
【図６】
2014146956.tif 000008